(57)【要約】【課題】情報機器において、動画とこの動画再生部分の周囲の余白部分である静止画とを同時にユーザが望む通りに見栄えよく表示させる。【解決手段】作成側機器２１は、動画データとｉ）静止画データもしくはｉｉ）静止画データを得るために使用されるコードとの組合せを形成し、この形成された上記動画データとｉ）上記静止画データもしくはｉｉ）上記コードとの組合せを、再生側機器２２へ送信する。再生側機器２２は、送信されてくる上記動画データとｉ）上記静止画データもしくはｉｉ）上記コードとを取得すると、上記動画データとｉ）上記静止画データもしくはｉｉ）上記コードから得られる静止画データとを、一緒に表示部９１の画面上に表示させる。【選択図】　　図２
2004007598.tif 000002
【特許請求の範囲】
【請求項１】
画像を送信することが可能な情報機器であって、
動画データとｉ）静止画データもしくはｉｉ）静止画データを得るために使用されるコードとの組合せを形成するデータ形成手段と、
前記データ形成手段により形成された前記動画データとｉ）前記静止画データもしくはｉｉ）前記コードとの組合せを、他の機器へ送信するデータ送信手段と、
を具備することを特徴とする情報機器。
【請求項２】
前記他の機器は、前記動画データと前記静止画データとを表示する表示手段を具備することを特徴とする請求項１記載の情報機器。
【請求項３】
前記データ送信手段は、前記動画データと前記コードとを送信し、
前記他の機器は、所定の通信キャリアを具備しており、当該所定の通信キャリアは、前記データ送信手段から送信されてくる前記動画データと前記コードに対応した静止画データとを別の装置へ送信し、
前記別の装置は、前記所定の通信キャリアから送信されてくる前記動画データと前記静止画データとを表示する表示手段を具備することを特徴とする請求項１記載の情報機器。
【請求項４】
前記動画データと前記静止画データとがファイル用のファイルフォーマットもしくは通信フォーマットに適合するか否かをチェックするチェック手段を更に具備することを特徴とする請求項１記載の情報機器。
【請求項５】
前記情報機器は、表示手段を更に具備し、
前記チェック手段は、前記動画データと前記静止画データとの組合せを前記表示手段の画面上に表示してその組合せをユーザに確認させる手段を有することを特徴とする請求項４記載の情報機器。
【請求項６】
表示手段と、
前記表示手段に接続され、前記データ形成手段により形成された前記動画データと前記静止画データとを前記表示手段に表示させる手段と、
を更に具備することを特徴とする請求項１記載の情報機器。
【請求項７】
表示手段と、
動画データとｉ）静止画データもしくはｉｉ）静止画データを得るために使用されるコードとを取得するデータ取得手段と、
前記データ取得手段により取得された前記動画データとｉ）前記静止画データもしくはｉｉ）前記コードから得られる静止画データとを、一緒に前記表示手段の画面上に表示させるデータ表示処理手段と、
を具備することを特徴とする情報機器。
【請求項８】
前記データ取得手段は、前記動画データとｉ）前記静止画データもしくはｉｉ）前記コードから得られる静止画データとを、画像を形成することが可能な装置から取得することを特徴とする請求項７記載の情報機器。
【請求項９】
前記データ取得手段は、前記動画データと前記コードから得られる静止画データとを、所定の通信キャリアから取得することを特徴とする請求項７記載の情報機器。
【請求項１０】
情報機器における画像表示方法であって、
動画データとｉ）静止画データもしくはｉｉ）静止画データを得るために使用されるコードとを、前記情報機器に送信し、
前記情報機器に送信されてきた前記動画データとｉ）前記静止画データもしくはｉｉ）前記コードから得られる静止画データとを、一緒に前記情報機器の画面上に表示させる、
ことを特徴とする画像表示方法。
【請求項１１】
前記送信においては、前記動画データとｉ）前記静止画データもしくはｉｉ）前記コードとを、画像を生成することが可能な機器から送信することを特徴とする請求項１０記載の画像表示方法。
【請求項１２】
前記送信においては、前記動画データと前記静止画データに対応するコードとを、所定の通信キャリアから前記情報機器へ送信することを特徴とする請求項１０記載の画像表示方法。
【請求項１３】
前記情報機器への送信は、前記動画データと前記静止画データとを一つのファイルに格納した状態で行うことを特徴とする請求項７記載の画像表示方法。
【請求項１４】
前記情報機器に前記コードが送信されてきた場合、当該コードにより特定される静止画データを所定の記憶媒体から読み出すことを特徴とする請求項１０記載の画像表示方法。
【請求項１５】
ｉ）既存の静止画データより任意の範囲を切り出して前記静止画データを形成することと、ｉｉ）既存の静止画データ上の任意の範囲を指定してその範囲において位置と色を指定することで前記静止画データを形成することと、ｉｉｉ）既存の複数の静止画を組み合わせて前記静止画データを形成することと、ｉｖ）前記静止画データよりも小さい既存の複数個の静止画データを並べることで前記静止画データを作成すること、のうちの少なくとも一つを行うことによって、前記情報機器に送信すべき静止画データを作成することを特徴とする請求項１０記載の画像表示方法。
【請求項１６】
前記静止画データよりも小さい既存の複数個の静止画データを前記情報機器に送信し、
前記情報機器に送信された既存の複数個の静止画データを前記情報機器の画面上に並べるとともに、その上に前記動画像を重ねた状態で表示を行うことを特徴とする請求項１０記載の画像表示方法。
【請求項１７】
前記情報機器に前記コードが送信されてきた場合に、当該コードにより特定される静止画データが得られなければ、前記情報機器に記憶しておいた代りの静止画データを用いることを特徴とする請求項１０記載の画像表示方法。
【請求項１８】
前記情報機器により、前記送信されてきた前記コードに応じて位置情報を取得し、
表示すべき静止画データを決定するに際し、前記取得した位置情報に対応する静止画データを選択することを特徴とする請求項１０記載の画像表示方法。
【請求項１９】
前記情報機器への送信は、送信側機器によって行われ、
前記送信側機器によって位置情報を取得し、
前記情報機器へ送信すべき静止画データを決定するに際し、前記取得した位置情報に対応する静止画データを、前記送信側機器によって選択することを特徴とする請求項１０記載の画像表示方法。
【請求項２０】
前記情報機器への送信は、送信側機器によって行われ、
前記送信側機器によって位置情報を取得し、
前記取得した位置情報を前記送信側機器から前記情報機器へ送信し、
表示すべき静止画データを決定するに際し、前記送信されてきた位置情報に対応する静止画データを、前記情報機器によって選択することを特徴とする請求項１０記載の画像表示方法。
【請求項２１】
情報機器から画像を送信する画像送信方法であって、
動画データとｉ）静止画データもしくはｉｉ）静止画データを得るために使用されるコードとの組合せを形成し、
前記形成された前記動画データとｉ）前記静止画データもしくはｉｉ）前記コードとの組合せを、他の機器へ送信する、
ことを特徴とする画像送信方法。
【請求項２２】
動画データとｉ）静止画データもしくはｉｉ）静止画データを得るために使用されるコードとを取得するデータ取得手段と、
表示手段と、
前記データ取得手段により取得された前記動画データとｉ）前記静止画データもしくはｉｉ）前記コードから得られる静止画データとを、一緒に前記表示手段の画面上に表示させるデータ表示処理手段と、
を具備することを特徴とする携帯電話。
【請求項２３】
前記データ表示処理手段は、前記静止画データの画像の一部を前記取得した動画データに代えて表示させることを特徴とする請求項２２記載の携帯電話。
【請求項２４】
前記データ表示処理手段は、前記動画データを前記静止画データにより囲まれた状態で表示させることを特徴とする請求項２２記載の携帯電話。
【請求項２５】
前記データ表示処理手段は、前記動画データを前記静止画データに重ねた状態で表示させることを特徴とする請求項２２記載の携帯電話。
【請求項２６】
情報機器における画像表示方法であって、
送信側機器から、動画データと静止画データを決定するために使用されるコードとを、前記情報機器に送信し、
前記情報機器に送信されてきた前記動画データと前記コードに基づいて決定される静止画データとを、一緒に前記情報機器の画面上に表示させ、
前記コードには、ｉ）前記送信側機器から得られるＧＰＳによる位置情報、もしくはｉｉ）前記送信側機器から得られるＧＰＳによる位置情報を利用することの前記情報機器への指示が含まれており、前記位置情報は前記情報機器の画面上に表示される静止画を特定するものであることを特徴とする画像表示方法。
【請求項２７】
前記表示においては、前記動画データを前記静止画データにより囲まれた状態で表示させることを特徴とする請求項２６記載の画像表示方法。
【請求項２８】
前記表示においては、前記動画データを前記静止画データに重ねた状態で表示させることを特徴とする請求項２６記載の画像表示方法。
【発明の詳細な説明】
【０００１】
【発明の属する技術分野】
本発明は、画像作成機能を有する情報機器、画像表示機能を有する情報機器、画像表示方法、及び画像送信方法に関する。
【０００２】
【従来の技術】
従来、例えばパーソナルコンピュータで動画データ（即ち、ビデオデータ）の再生を行う場合には、ユーザは動画再生アプリケーションにより用意されている静止画から任意の画像を選択し、その静止画を背景として、動画像が静止画に囲まれる形で画像再生を行うことができる。例えば、非特許文献１には、スキンと呼ばれる静止画と、音楽に連動して動きが変化するグラフィックとを、画面上に表示させる一部動画再生アプリケーションの技術が示されている。
【０００３】
一方、携帯電話では、その動画再生機能により動画を再生することができる。例えば、非特許文献２には、動画再生が可能な携帯電話が示されている。
【０００４】
【非特許文献１】
Ｗｉｎｄｏｗｓ（登録商標）　Ｍｅｄｉａ　Ｐｌａｙｅｒ（登録商標）　７．１のホームページｈｔｔｐ：／／ｗｗｗ．ｍｉｃｒｏｓｏｆｔ．ｃｏｍ／ｊａｐａｎ／ｗｉｎｄｏｗｓ／ｗｉｎｄｏｗｓｍｅｄｉａ／ｓｏｆｔｗａｒｅ／Ｐｌａｙｅｒｖ７．ａｓｐ、「スキンと視覚効果」
【０００５】
【非特許文献２】
携帯電話Ｃ５００１Ｔ（東芝製）の製品カタログ、ＫＤＤＩ、２００１年１２月発行
【０００６】
【発明が解決しようとする課題】
しかしながら、非特許文献１に示されるような携帯電話の動画再生機能では、表示される動画データが、単色で塗りつぶされた静止画領域に取り囲まれてしまうという問題がある。すなわち、携帯電話の動画再生では、動画再生部分の周囲の余白部分の静止画は固定されたままであるという問題がある。
【０００７】
また、非特許文献２に示されるようなパソコンの一部動画再生アプリケーションでは、動画再生部分の周囲の余白にスキンと呼ばれる静止画で飾り付けが可能であるが、再生側の選択により表示され、送信側が管理することはできないという問題がある。
【０００８】
本発明は上記実情に鑑みてなされたものであり、動画とこの動画再生部分の周囲の余白部分である静止画とを同時にユーザが望む通りに見栄えよく表示させることのできる情報機器、携帯電話、画像表示方法、及び画像送信方法を提供することを目的とする。
【０００９】
【課題を解決するための手段】
本発明に係る情報機器は、画像を送信することが可能な情報機器であって、動画データとｉ）静止画データもしくはｉｉ）静止画データを得るために使用されるコードとの組合せを形成するデータ形成手段と、前記データ形成手段により形成された前記動画データとｉ）前記静止画データもしくはｉｉ）前記コードとの組合せを、他の機器へ送信するデータ送信手段とを具備することを特徴とする。
【００１０】
また、本発明に係る情報機器は、表示手段と、動画データとｉ）静止画データもしくはｉｉ）静止画データを得るために使用されるコードとを取得するデータ取得手段と、前記データ取得手段により取得された前記動画データとｉ）前記静止画データもしくはｉｉ）前記コードから得られる静止画データとを、一緒に前記表示手段の画面上に表示させるデータ表示処理手段とを具備することを特徴とする。
【００１１】
また、本発明に係る画像表示方法は、情報機器における画像表示方法であって、動画データとｉ）静止画データもしくはｉｉ）静止画データを得るために使用されるコードとを、前記情報機器に送信し、前記情報機器に送信されてきた前記動画データとｉ）前記静止画データもしくはｉｉ）前記コードから得られる静止画データとを、一緒に前記情報機器の画面上に表示させることを特徴とする。
【００１２】
また、本発明に係る画像送信方法は、情報機器から画像を送信する画像送信方法であって、動画データとｉ）静止画データもしくはｉｉ）静止画データを得るために使用されるコードとの組合せを形成し、前記形成された前記動画データとｉ）前記静止画データもしくはｉｉ）前記コードとの組合せを、他の機器へ送信することを特徴とする。
【００１３】
また、本発明に係る携帯電話は、動画データとｉ）静止画データもしくはｉｉ）静止画データを得るために使用されるコードとを取得するデータ取得手段と、表示手段と、前記データ取得手段により取得された前記動画データとｉ）前記静止画データもしくはｉｉ）前記コードから得られる静止画データとを、一緒に前記表示手段の画面上に表示させるデータ表示処理手段とを具備することを特徴とする。
【００１４】
また、本発明に係る画像表示方法は、情報機器における画像表示方法であって、送信側機器から、動画データと静止画データを決定するために使用されるコードとを、前記情報機器に送信し、前記情報機器に送信されてきた前記動画データと前記コードに基づいて決定される静止画データとを、一緒に前記情報機器の画面上に表示させ、前記コードには、ｉ）前記送信側機器から得られるＧＰＳによる位置情報、もしくはｉｉ）前記送信側機器から得られるＧＰＳによる位置情報を利用することの前記情報機器への指示が含まれており、前記位置情報は前記情報機器の画面上に表示される静止画を特定するものであることを特徴とする。
【００１５】
【発明の実施の形態】
以下、図面を参照して本発明の実施形態を説明する。
【００１６】
本発明の実施形態では、動画像と静止画像とを送信もしくは発信する側（以下、作成側と言う）と、作成された動画像と静止画像とを同時に受信もしくは再生する側（以下、再生側と言う）の二つの端末と、その間のデータを受け渡す手段とでシステムを構成する。但し、作成側と再生側の端末が同一の場合もあり、この場合にはデータを受け渡す手段は端末内部に存在することになる。
【００１７】
また、端末は、動画と静止画を組み合わせる機能、および組み合わされた静止画と動画を同時に表示する機能を有する。
【００１８】
ここで言う端末は、動画および静止画を再生する機能を有する情報機器を示し、携帯電話やＰＤＡ（Ｐｅｒｓｏｎａｌ　Ｄｉｇｉｔａｌ　Ａｓｓｉｓｔａｎｔ）、パーソナルコンピュータなどが含まれる。
【００１９】
作成側と再生側との間のデータの送受は、一般的には無線通信で行われが、代りに有線通信（光通信を含む）で行っても良く、また、当該有線通信（光通信を含む）と無線通信との組合せで行っても良い。
【００２０】
動画データが受信側端末の有効表示領域よりも小さい領域に表示される通常のケースでは、動画の余白部分に相当する静止画データは、当該動画データを取り囲む形となる。図１には、端末（即ち、携帯電話）の表示部１１における動画再生部分１２及び余白部分１３が示されている。この場合、図中の静止画表示部分１４は余白部分１３の一部であってもよく、また静止画表示部分１４が余白部分１３全体に及んでいてもよい。
【００２１】
作成側２１から再生側２２へ動画と静止画を受け渡す方法としては、２つの方法が挙げられる。第１の方法は、動画データと静止画データを一緒に受け渡す方法であり、第２の方法は、静止画データを示すコード（当該静止画データが格納されているサーバや記憶媒体などを識別するＩＤも付加される）と動画データとを受け渡す方法である。
【００２２】
＜動画データと静止画データとを作成側から再生側へ一緒に受け渡す場合の例＞図２は、動画データと静止画データとを作成側から再生側へ一緒に受け渡す場合の例を示す図である。
【００２３】
図２に示されるように、作成側２１には処理部２１４が設けられ、この処理部２１４は、動画データ格納部２１１内の動画データ（ここでは、送信を行うユーザが再生を望むもの）と、静止画格納部２１２内の静止画データ（送信を行うユーザが再生を望むもの）とを組み合わせる結合部２１４ａと、組み合わせたものをチェックするチェック部２１４ｂとを有している（詳細については後で述べる）。なお、チェック後の送信処理は、送信部７１ａ〜７１ｃのいずれかにより実行される。
【００２４】
上記処理部２１４は、例えば、所定の記憶領域に記憶されたプログラムを実行するマイクロプロセッサのようなデジタル信号処理装置によって実現することができる。
【００２５】
静止画データに関しては、静止画格納部２１２内に記憶されている既存の静止画データを使用しても良いし、静止画データ形成装置２７によって新たに形成された静止画データを使用しても良い。後者の場合、新たに形成された静止画データは、静止画格納部２１２内に記憶されるとともに、当該静止画格納部２１２から順次取り出される。上記静止画データ形成装置２７は、有線／無線のネットワークを介して又は直接に作成側２１に接続されるコンピュータ、デジタルカメラ、携帯電話などの電子機器、もしくは作成側２１に着脱可能なメモリカードなどの記憶媒体に相当する。また、作成側２１に搭載されるデジタルカメラ２８を用いて風景などを撮像し、これにより得られる静止画データを使用するようにしてもよい。静止画作成部２１３では、静止画格納部１２１内の静止画データまたはカメラ２８から得られる静止画データに基づいて、処理部２１４へ送るべき静止画データが作成されるようになっている。
【００２６】
なお、動画データと組み合わせるべき静止画データを、当該静止画データを特定する静止画コードに代えて実施することも可能である。この場合、静止画コードにより特定される静止画データを再生側２２もしくは別の装置にて取得する処理が必要である。
【００２７】
一方、動画データに関しては、動画データ格納部２１１内に記憶されている既存の動画データを使用しても良いし、動画データ形成装置２６によって形成された動画データを動画データ格納部２１１に格納してから、当該動画データを取り出して使用するようにしても良い。上記動画データ形成装置２６は、有線／無線のネットワークを介して又は直接に作成側２１に接続されるコンピュータ、ビデオカメラ、携帯電話などの電子機器、もしくは作成側２１に着脱可能なメモリカードなどの記憶媒体に相当する。また、各種の動画データを提供するインターネット上のサイトなどから所望の動画データを処理部２５によりダウンロードして使用するようにしてもよい。または処理部２５は、ビデオカメラであって、撮影した動画を用いるようにしても良い。
【００２８】
なお、静止画データには、組み合わされる動画データを表示すべき当該静止画データ上の表示位置を示す情報を付加するようにしてもよい。なお、この情報を、静止画データの方ではなく、動画データの方に付加するようにしてもよい。
【００２９】
図３は、動画データと静止画データとを１つのファイルに収めた場合のファイルフォーマットの一例を示している。動画データと静止画データとは、１つのファイルに収められる。このときのファイルフォーマットは、例えばＭＰ４に準拠し、図３に示されるように「管理情報」の領域と個々の「データセット」（ボックスとも呼ばれる）の領域とを有する。各「データセット」は、「識別子」、「サイズ」、及び「データ」といった領域を有する。なお、「管理情報」の位置は、必ずしも先頭である必要はない。
【００３０】
上記ファイルフォーマットにおいて、動画データは、あるデータセットＸ内の「データ」領域に収納される。この場合の動画データは、ＭＰＥＧ−４の圧縮形式で圧縮された状態にある。また、動画データは、ビデオデータのみの構成としてもよいが、ビデオデータにオーディオデータを付加した構成としてもよい。一方、静止画データは、あるデータセットＹ内の「データ」領域に収納される。なお、静止画データの代わりに、当該静止画コードを特定する静止画コードを「データ」領域に収納するようにしてもよい。
【００３１】
なお、「管理情報」内には、表示の際に静止画データ上に配置すべき動画データの画面上の配置位置を設定してその位置に当該動画データを表示すべきことを示す情報が収納されている。
【００３２】
また、「管理情報」内には、組み合わされた動画データ及び静止画データがそれぞれ収納されているファイルフォーマット上の位置を示す情報も含めるようにすることが望ましい。このようにすると、再生時に、組み合わされた動画データ及び静止画データのファイルフォーマット上の位置を容易に知得できる。
【００３３】
上記チェック部２１４ｂは、動画データと静止画データとを組み合わせて１つのファイルに収めた後に、その組合せが適切な状態にあるか否か、例えば、静止画上の所望の箇所（例えば、静止画の中央）に動画を表示させることができるか否かをチェックする機能を有する。当該チェックには、（１）組み合わされた動画データ及び静止画データがファイル上でファイルフォーマットに適合した状態にあるか否かをチェック部２１４ｂ自身が確認する処理（さらに、上記ファイルが通信プロトコルに適合しているか否かを確認する処理）と、（２）組み合わされた動画データ及び静止画データを作成側２１の表示部２９の画面に表示することによりユーザの望む通りの組合せになっているか否か（例えば、静止画の中央に動画が配置されているか否か）をユーザ自身に確認させる処理（ユーザが入力部３０により入力するＯＫやＮＧの指定などの情報を受ける処理も含む）とが含まれる。なお、上記チェック部２１４ｂは、上記チェックで組合せが適切であることを確認した後、組み合わされた動画データ及び静止画データを含むファイルの送信処理を送信部７１ａ〜７１ｃのいずれに指示することができる。
【００３４】
ここで、図４を参照して、図２中の処理部２１４の動作を説明する。
【００３５】
結合部２１４ａは、動画データと静止画データとを組み合わせて１つのファイルに収納する（ステップＳ１）。チェック部２１４ｂは、組み合わされた動画データ及び静止画データ（のデータセット）がファイル上でファイルフォーマットに適合した状態にあるか否か（さらに、通信プロトコルに適合しているか否か）をチェックする（ステップＳ２）。
【００３６】
ここでファイルフォーマット（および通信プロトコル）に適合していれば（ステップＳ３のＹｅｓ）、チェック部２１４ｂは、組み合わされた動画データ及び静止画データを表示部２９の画面に表示し、ユーザの望む通りの組合せになっているか否かをユーザ自身に確認させる（例えば、画面上でユーザにＯＫとＮＧのいずれかを指定するよう促す）（ステップＳ４）。
【００３７】
ここでユーザがＯＫを示した場合（ステップＳ５）、チェック部２１４ｂは、組み合わされた動画データ及び静止画データを含むファイルの送信処理をチェック送信部７１ａ〜７１ｃのいずれかに指示する（ステップＳ６）。
【００３８】
上記ステップＳ３においてファイルフォーマット（および通信プロトコル）に適合していなければ（ステップＳ３のＮｏ）、表示部２９の画面にメッセージ（エラーメッセージなど）を表示する等の対処を行う（ステップＳ７）。なお、このメッセージを表示する前に、上記ステップＳ１及びＳ２をリトライするようにしてもよい。
【００３９】
また、上記ステップＳ５においてユーザがＯＫを示さなかった場合（ステップＳ５のＮｏ）、表示部２９の画面にメッセージ（画像の組合せ変更の操作を促すメッセージなど）を表示する等の対処を行う（ステップＳ７）。その際のユーザインタフェースに関わる処理を以下に説明する。
【００４０】
例えば、画像の組合せの変更をユーザに求めるメッセージを表示する場合、処理部２１４は、選択可能な動画データ群および静止画データ群が提示された選択メニューを表示部２９に表示させる。ユーザは、その選択メニューを見て、組み合わせるべき所望の動画データおよび静止画データを、入力部３０を用いて選択することができる。ユーザによる選択操作が完了すると、処理部２１４は、再び図４のステップＳ１からの処理を実行することとなる。
【００４１】
このように、上述した２種類のチェックを行うことにより、組み合わされた動画データと静止画データとを、ファイルフォーマット（および通信プロトコル）に確実に適合した状態で且つユーザの望む組合せが確実に実現された状態で、作成側２１から再生側２２へ直接、又は、Ｗｅｂホームページサーバ２３もしくはインターネットなどのネットワーク２４経由で送信することができる。
【００４２】
再生側２２では、次のような３つのデータ送信形態が挙げられる。
（１）処理部２２１により、Ｗｅｂホームページサーバ２３などに格納された動画データと静止画データとの組合せデータをダウンロードして再生する
（２）処理部２２２により、インターネットなどのネットワーク２４を経由してメールなどで受信した動画データと静止画データとの組合せデータを再生する
（３）処理部２２３により、ＢｌｕｅｔｏｏｔｈＴＭなどでＰＰＰ　（Ｐｏｉｎｔ　ｔｏ　Ｐｏｉｎｔ　Ｐｒｏｔｏｃｏｌ）接続により受信した動画データと静止画データとの組合せデータを再生するなお、それぞれの受信処理は、受信部７２ａ〜７２ｃのいずれかで行われる。また、処理部２２１〜２２３の各々で再生される組合せデータは、表示部９１の画面に表示される。
【００４３】
＜動画データと静止画データとを別々に受け渡す場合の例＞
図５は、動画データと静止画データとを別々に受け渡す場合の例を示す図である。
【００４４】
作成側３１は、静止画データ（ユーザが動画再生時に使用を望むもの）を特定する、静止画コード保持部３１４内の静止画コード（高々１６ビット程度）と、動画データ格納部３１１内の動画データとを組み合わせて、再生側３２へ送信する（もしくは通信キャリアのサーバ３５へ送信する）。再生側３２は、上記静止画コードに対応する静止画データと動画データとを同時に再生する。
【００４５】
再生側で静止画データを再生するに際し、次のような３つの場合が挙げられる。
（１）通信キャリアサーバ３５に記憶されている静止画データを使用する
（２）再生側３２が持つ静止画データ格納部（メモリやＳＤカードなどの記憶媒体）３２１に格納されている静止画データを使用する
（３）第三者の提供するネットに接続されたサーバ３４に格納されている静止画データを使用する
以下、それぞれの場合について詳細に説明する。
【００４６】
（１）通信キャリアサーバ３５に記憶されている静止画データを使用する場合作成側３１は、通信キャリアサーバ３５に保持される静止画データを特定する静止画コードと、動画データ格納部３１１内の独自の動画データとを、通信キャリアサーバ３５に送付する。通信キャリアサーバ３５は、上記静止画コードにより特定される静止画データを当該サーバ内より取り出し、作成側３１から送られてきた動画データと一緒に再生側３２へ経路３７を通じて送信する。再生側３２の処理部３２２では、受信した動画データと静止画データとを同時に再生する。
【００４７】
（２）再生側３２が持つ静止画データ格納部３２１に格納されている静止画データを使用する場合
静止画データ格納部３２１内の静止画データは、作成側３１が静止画データ格納部３１２内の静止画データまたは静止画作成部３１３で新規に作成した静止画データを事前に再生側３２へ送付して格納したものであるか、もしくは静止画データ格納部３２１に既存のものである。作成側３１は、静止画データ格納部３２１に格納されている静止画データを特定する、静止画コード保持部３１４内の静止画コード（格納部３２１を指定するＩＤも付加されている）と、動画データ格納部３１１内の動画データとを、再生側３２へ送信する。再生側３２の処理部３２３では、受信した静止画コードにより特定される静止画データを静止画データ格納部３２１より読み出し、読み出した静止画データと受信した動画データとを同時に再生する。
【００４８】
（３）第三者の提供するネットに接続されたサーバ３４に格納されている静止画データを使用する場合
サーバ３４内の静止画データは、作成側３１が静止画データ格納部３１２内の静止画データまたは静止画作成部３１３で新規に作成した静止画データを事前にサーバ３４へ送付して格納したものであるか、もしくはサーバ３４に既存のものである。作成側３１は、サーバ３４に格納されている静止画データを特定する、静止画コード保持部３１４内の静止画コード（サーバ３４を指定するＩＤも付加されている）と、動画データ格納部３１１内の動画データとを、再生側３２へ送信する。再生側３２の処理部３２４では、受信した静止画コードにより特定される静止画データをサーバ３４へ要求し、サーバ３４より受け取った静止画データと受信した動画データとを同時に再生する。
【００４９】
なお、再生側３２に静止画コードが受け渡された場合に、当該静止画コードにより特定される静止画データが該当する記憶媒体から得られなければ、別途用意しておいた代りの静止画データを、動画データとの組合せに用いるようにしてもよい。
【００５０】
ところで、前述の作成側２１（３１）の静止画作成部２１３（３１３）は、静止画データを作成する際に、次のような機能を提供することができる。
【００５１】
・既存の静止画データより任意の範囲を切り出して、静止画データを形成する機能
・既存の静止画データ上の任意の範囲を指定して、その範囲において、無地に対して自由に（カーソルやマウスの軌跡などで）位置を指定することで、静止画データを形成する機能
・既存の複数の静止画（小さなサイズの画像など）を数種類用意し、それらを静止画作成のパーツとして利用し、適宜組み合わせることにより、静止画データを形成する機能
・既存の複数の静止画（小さなサイズの画像など）を繰り返し展開する（同じ画像を複数並べる）ことにより、静止画データを形成する機能
これらの機能を利用することにより、例えば、表示する静止画データよりも小さい既存の複数個の静止画データを作成側から再生側に受け渡し、再生側に受け渡された既存の複数個の静止画データを再生側の表示画面上に並べるとともに、その上に動画像を重ねた状態で表示を行うことも可能である。
【００５２】
また、上記各種の機能を使用することにより、再生側の端末（携帯電話の場合）の画面において図１６の（ａ）〜（ｆ）に示されるようなイメージ（静止画と動画を同時再生）を表示させることができる。
【００５３】
図１６の（ａ）及び（ｂ）では、余白部分１３の一部分１４に静止画を表示し、この静止画に応じて定義される表示領域１２に動画像を当てはめるように表示している。
【００５４】
図１６の（ｃ）及び（ｅ）では、余白部分全体に小さな静止画パタンを並べて表示し、そこに重ねるように動画像を表示している。
【００５５】
図１６の（ｄ）及び（ｆ）では、余白部分画全体に静止画を表示し、そこに重ねるように動画像を表示している。
【００５６】
ここで、図１６の（ｅ）に示される静止画の形成方法の一例を、図１７を参照して説明する。
【００５７】
静止画の作成は、作成側の表示画面において、ポインティングデバイス（カーソルキーもしくはペン）を用いて行われる。この場合の作成側の装置としては、図１８の（ａ）に示される携帯電話であってもよいし、図１８の（ｂ）に示されるＰＤＡであってもよい。また、作成側の装置には、静止画作成用の描画ツールが搭載される。こうした描画ツールを含む静止画作成機能は、例えば図２中の静止画作成部２１３（または静止画データ形成装置２７）、もしくは図５中の静止画作成部３１３に相当する。
【００５８】
まず、静止画の元となるオリジナル画像を画面上に表示させ、その画像の中から所望の画像片（例えば、魚一匹の画像）を切り出す（ステップＴ１）。
【００５９】
次に、切り出された画像片を編集（例えば、着色）するための操作を実行する（ステップＴ２）。具体的には、以下の操作を行う。
【００６０】
１．描画ツールを起動する
２．ペイントの色を選択する
３．ポインティングデバイス（例えば、図１８の（ａ）の携帯電話におけるカーソルキーや、図１８Ｂの（ｂ）のＰＤＡにおけるペン）を用いてペイントすべきセルを指定する
４．セルを着色する
５．個々のセルについて上記操作を繰り返す
６．編集した画像片をセーブする
なお、上記の操作は、図１８の（ａ）に示される携帯電話で行ってもよいし、図１８の（ｂ）に示されるＰＤＡで行ってもよい。ＰＤＡを採用した場合には、ペンを用いた手書きによる編集も可能である。
【００６１】
この後、画面上において、編集した画像片を一定の間隔で複数敷き詰める（ステップＴ３）。このようにオリジナルの画像から切り出した画像片を流用することにより所望の静止画を完成させることができる。
【００６２】
なお、画面上において編集した画像片を複数敷き詰める代わりに、当該画像片を単純にペイストすることにより、１つの画像片のみからなる静止画を作成してもよい（ステップＴ３’）。
【００６３】
また、本実施形態では、ＧＰＳ　（Ｇｌｏｂａｌ　Ｐｏｓｉｔｉｏｎｉｎｇ　Ｓｙｓｔｅｍ）などの位置情報を取得する機能を利用することにより、端末の存在する場所に相応しい適切な静止画データを自動的に選択するようにすることができる。この場合、自動選択された静止画データと動画データとが同時に再生されることになる。
【００６４】
以下、ＧＰＳ機能を利用した場合の種々な例について説明する。
【００６５】
＜再生側の位置情報により静止画を決定する場合＞
図６及び図１０を参照して、再生側の位置情報により静止画を決定する場合について説明する。
【００６６】
図６において、作成側４１は、動画データ格納部４１１内の動画データと、再生側４２で得られる位置情報を利用することを要求する、静止画格納部４１２内の静止画コード保持部とを、処理部４１３において組み合わせ、再生側４２へ送信する。
【００６７】
再生側４２が持つ対応情報格納部４２２は、図７に示されるような、位置情報と静止画データとの対応関係を定義する事項（位置、範囲、静止画ファイル名、備考）が記述された情報（テーブル）を記憶している。
【００６８】
再生側４２では、処理部４２４において、受信された静止画コードの要求に従って現在地の位置情報を利用すべきものと判断し、処理部４２５において、ＧＰＳ機能４２１により位置情報を取得する。処理部４２６においては、取得した位置情報に対応する静止画データを、対応情報格納部４２２内の情報の中から選択する。また、処理部４２７において、選択した静止画データを静止画データ格納部４２３から読み出し、読み出した静止画データと、受信した動画データとを、一緒に表示する。
【００６９】
上記処理部４２４、４２５、４２６、及び４２７は、例えば、所定の記憶領域に記憶されたプログラムを実行するマイクロプロセッサのようなデジタル信号処理装置によって実現することができる。
【００７０】
次に、図１０を参照して、再生側の位置情報により画像が決まる場合の再生側の動作を説明する。
【００７１】
まず、再生側４２の端末（例えば携帯電話）において、ＧＰＳ機能がある場合に位置情報と静止画データとの関連を設定し、その関連情報と静止画データとを記憶媒体（再生側４２）に予め格納しておく（ステップＡ１）。
【００７２】
再生側４２は、作成側４１から動画データと静止画コードとを受信すると（ステップＡ２）、静止画の再生指示に相当するコマンドを発行する（ステップＡ３）。
【００７３】
ここで、受信した静止画コードが位置情報の利用を指示するものであるか否かが判断される（ステップＡ４）。位置情報の利用の指示でなければ、受信した動画データと、静止画コードで示された静止画とを、同時に表示する（ステップＡ５）。一方、位置情報の利用の指示であれば、ＧＰＳ機能を使えるか否か（即ち、ＧＰＳ衛星信号が有効で且つＧＰＳが適切に機能するか）が判断される（ステップＡ６）。ＧＰＳ機能を使えなければ、受信した動画データと、所定の静止画データとを、同時に表示する（ステップＡ７）。一方、ＧＰＳ機能を使えれば、ＧＰＳ機能により位置情報を読み込む（ステップＡ８）。
【００７４】
読み込んだ位置情報と関連した静止画データを、記憶媒体において事前に設定された関連情報を参照して選択し、選択した静止画データと動画データとを同時に表示する（ステップＡ９）。
【００７５】
次に、作成側の位置情報により静止画を決定する場合について説明する。これに関しては、（１）作成側から静止画データが再生側に送られる場合と、（２）作成側の位置情報が静止画コードの一部として再生側に送られる場合とがある。以下、それぞれの場合について説明する。
【００７６】
＜作成側から動画データと静止画データとが送られる場合＞
図８及び図１１を参照して、作成側から動画データと静止画データとが送られる場合について説明する。
【００７７】
図８において、作成側５１が持つ対応情報格納部５１２は、図７に示されるような、位置情報と静止画データとの対応関係を定義する事項（位置、範囲、静止画ファイル名、備考）が記述された情報（テーブル）を記憶している。
【００７８】
作成側５１は、ＧＰＳ機能５１１により位置情報を取得し、取得した位置情報に対応する静止画データを、対応情報格納部５１２内の情報の中から選択する。また、選択した静止画データを静止画データ格納部５１３から読み出し、読み出した静止画データと動画データ格納部５１４内の動画データとを結合部１５１で組み合わせて、再生側５２に送信する。
【００７９】
再生側５２は、再生部５２１により、受信した動画データと静止画データとを同時に表示する。
【００８０】
次に、図１１を参照して、作成側から静止画データと動画データとを送る場合の作成側の動作を説明する。
【００８１】
まず、作成側５１の端末（例えば携帯電話）において、ＧＰＳ機能がある場合に位置情報と静止画データとの関連を設定し、その関連情報と静止画データとを記憶媒体（作成側５１）に予め格納しておく（ステップＢ１）。また、再生側５１では、動画データを作成しておく（ステップＢ２）。
【００８２】
作成側５１では、ＧＰＳ機能による位置情報の利用が指定される（ステップＢ３）。
【００８３】
ここで、ＧＰＳ機能を使えるか否かが判断される（ステップＢ４）。ＧＰＳ機能を使えなければ、ＧＰＳ使用不能のメッセージを表示して、位置情報を利用しない状態へ遷移し（ステップＢ５）、対応する処理を行う。一方、ＧＰＳ機能を使えれば、ＧＰＳ機能により位置情報を読み込む（ステップＢ６）。
【００８４】
読み込んだ位置情報と関連した静止画データを、記憶媒体において事前に設定された関連情報を参照して選択し、選択した静止画データ（静止画ファイル）をデータベースより取り出す（ステップＢ７）。
【００８５】
一方で、動画データを圧縮し、圧縮ファイルに上記静止画データを組み込む（ステップＢ８）。
【００８６】
こうして静止画データと動画データとを組み合わせた情報を再生側５２へ送信する（ステップＢ９）。
【００８７】
＜作成側から動画データと位置情報とを含む静止画コードが送られる場合＞
図９、図１２及び図１３を参照して、作成側から動画データと位置情報を含む静止画コードとが送られる場合について説明する。
【００８８】
図９において、作成側６１は、ＧＰＳ機能６１１により位置情報を取得する。処理部６１２においては、取得した位置情報と、この位置情報により静止画データを決定することを要求するコードとを、静止画コードとして生成する。
【００８９】
作成部６１は、生成された静止画コードと動画データ格納部６１３内の動画データとを結合部６１４で組み合わせて、再生側６２に送信する。
【００９０】
再生側６２が持つ対応情報格納部６２４は、図７に示されるような、位置情報と静止画データとの対応関係を定義する事項（位置、範囲、静止画ファイル名、備考）が記述された情報（テーブル）を記憶している。
【００９１】
再生側６２では、処理部６２１において、受信された静止画コードの要求に従って当該静止画コードの中から位置情報を読み出し、処理部６２２において、読み出した位置情報に対応する静止画データを、対応情報格納部６２４内の情報の中から選択する。また、処理部６２３において、選択した静止画データを静止画データ格納部６２５から読み出し、読み出した静止画データと、受信した動画データとを、一緒に表示する。
【００９２】
上記処理部６２１、６２２、及び６２３は、例えば、所定の記憶領域に記憶されたプログラムを実行するマイクロプロセッサのようなデジタル信号処理装置によって実現することができる。
【００９３】
次に、図１２を参照して、作成側から静止画コードと動画データを送る場合の作成側の動作を説明する。
【００９４】
まず、作成側６１の端末（例えば携帯電話）において、ＧＰＳ機能がある場合に位置情報と静止画データとの関連を設定し、その関連情報と静止画データとを記憶媒体（再生側６２）に予め格納しておく（ステップＣ１）。また、作成側６１では、動画データを作成しておく（ステップＣ２）。
【００９５】
作成側６１では、ＧＰＳ機能による位置情報の利用が指定される（ステップＣ３）。
【００９６】
ここで、ＧＰＳ機能を使えるか否かが判断される（ステップＣ４）。もし、ＧＰＳ機能を使えなければ（例えば、ＧＰＳ衛星信号を受信できなければ）、ＧＰＳ使用不能のメッセージを表示して、位置情報を利用しない状態へ遷移し（ステップＣ５）、対応する処理を行う。一方、ＧＰＳ機能を使えれば、ＧＰＳ機能により位置情報を読み込む（ステップＣ６）。
【００９７】
読み込んだ位置情報と、この位置情報により静止画データを選択して表示することを要求するコードとを組み合わせて、静止画コードを作成する（ステップＣ７）。
【００９８】
一方で、動画データを圧縮し、圧縮ファイルに上記静止画コードを組み込む（ステップＣ８）。
【００９９】
こうして静止画コードと動画データとを組み合わせた情報を再生側６２へ送信する（ステップＣ９）。
【０１００】
次に、図１３を参照して、作成側から静止画コードと動画データとを送る場合の再生側の動作を説明する。
【０１０１】
まず、位置情報と静止画データとの関連を設定し、その関連情報と静止画データとを記憶媒体（再生側６２）に予め格納しておく（ステップＤ１）。
【０１０２】
再生側６２は、動画データと静止画コードを受信すると（ステップＤ２）、当該静止画コードの中から位置情報を取り出す（ステップＤ３）。
【０１０３】
ここで、取り出した位置情報に対応する静止画データがあるか否かが判断される（ステップＤ４）。対応する静止画データが無ければ、受信した動画データと所定の静止画データとを同時に表示する（ステップＤ５）。一方、対応する静止画データがあれば、記憶媒体内の情報の中から対応する静止画データを読み出し、読み出した静止画データと動画データとを同時に表示する（ステップＤ６）。
【０１０４】
図１４及び図１５は、これまで述べてきた作成側−再生側間の各種のデータ送受形態を把握しやすいように整理したものである。図１４はＧＰＳを用いない場合（図２及び図３の構成を含む）を示し、図１５はＧＰＳを用いる場合（図４、図６及び図７の構成を含む）を示している。
【０１０５】
各図においては、組み合わされる動画データと静止画データとを１つのファイルに収めた状態で送信してもよいし、別々に送信してもよい。また、作成側−再生側間のデータの送受は、無線もしくは有線のネットワーク（インターネット等を含む）を介して行われる。携帯電話のようにダイアルアップ接続を要する端末の場合は、各図中に示されるように電話会社等のキャリアＣの回線を経由してデータの送受を行う。ダイアルアップ接続を行わない端末の場合は、キャリアＣの回線を経由せずに直接に相手側装置とデータの送受を行う。
【０１０６】
図１４の（ａ）は、作成側から動画データと静止画データとを再生側へ送信し、再生側で受信される動画データと静止画データとを一緒に表示する場合を示している。
【０１０７】
図１４の（ｂ）は、作成側から動画データと静止画データを特定する静止画コードとを所定の通信キャリアのサーバ３５へ送信し、サーバ３５では当該静止画コードに特定される静止画データを記憶媒体から読み出して、その静止画データと上記動画データとを再生側へ送信し、再生側では受信される動画データと静止画データとを一緒に表示する場合を示している。
【０１０８】
図１４の（ｃ）は、作成側から動画データと静止画データを特定する静止画コードとを再生側へ送信し、再生側では当該静止画コードに特定される静止画データを再生側に備えられる記憶媒体から読み出して、その静止画データと上記動画データとを一緒に表示する場合を示している。
【０１０９】
図１４の（ｄ）は、作成側から動画データと静止画データを特定する静止画コードとを再生側へ送信し、再生側では当該静止画コードに特定される静止画データを、第三者が提供するサーバ３４に備えられる記憶媒体からダウンロードして、その静止画データと上記動画データとを一緒に表示する場合を示している。
【０１１０】
図１５の（ａ）は、作成側においてＧＰＳ機能により位置情報を得ると共にその位置情報からマッピングテーブル（図７で示したように、位置情報と静止画データとの対応関係を定義する事項が記述された情報のテーブル）を用いて記憶媒体から静止画データを読み出し、当該静止画データと動画データとを再生側へ送信し、再生側で受信される動画データと静止画データとを一緒に表示する場合を示している。
【０１１１】
図１５の（ｂ）は、作成側においてＧＰＳ機能により位置情報を得ると共にその位置情報を含むコードと動画データとを再生側へ送信し、再生側では受信されるコードに含まれる位置情報からマッピングテーブルを用いて記憶媒体から静止画データを読み出し、当該静止画データと動画データとを一緒に表示する場合を示している。
【０１１２】
図１５の（ｃ）は、作成側から動画データと所定のコード（静止画データを選択するためにＧＰＳ機能を使用すべきことを示すコマンドを含むコード）とを再生側へ送信し、再生側では受信されるコードに従い、ＧＰＳ機能により位置情報を得ると共にその位置情報からマッピングテーブルを用いて記憶媒体から静止画データを読み出し、当該静止画データと動画データとを一緒に表示する場合を示している。
【０１１３】
図１５の（ｄ）は、作成側においてＧＰＳ機能により位置情報を得ると共にその位置情報を含むコード（静止画データを選択して再生側へ送信することの要求も含む）と動画データとを通信キャリアのサーバ３５へ送信し、サーバ３５では受信されるコードに含まれる位置情報からマッピングテーブルを用いて記憶媒体から静止画データを読み出して、その静止画データと上記動画データとを再生側へ送信し、再生側では受信される動画データと静止画データとを一緒に表示する場合を示している。
【０１１４】
図１５の（ｅ）は、作成側においてＧＰＳ機能により位置情報を得ると共にその位置情報を含むコード（サーバ３４のアドレス、及びサーバ３４が静止画データを選択してそれを再生側へ送信することの要求も含む）と動画データとを再生側へ送信し、再生側では当該コードをサーバ３４へ送信し、サーバ３４では受信されるコードに含まれる位置情報からマッピングテーブルを用いて記憶媒体から静止画データを読み出して、その静止画データを再生側へ送信し、再生側では受信される静止画データと動画データとを一緒に表示する場合を示している。
【０１１５】
このように、本実施形態によれば、動画再生時に任意の静止画像を当該動画像を囲むように同時に表示することにより、見栄えを良くすることが可能となる。
【０１１６】
また、例えば動画像をメールなどにより第三者に送信するような場合、発信者の希望する静止画を受信者側で動画と同時に表示させることが可能となる。
【０１１７】
また、画像データを他者へ受け渡す際に、静止画情報を特定するコード等を用いることにより、作成側で使用する記憶領域の縮減や、転送時のデータ量の縮減を実現できる。
【０１１８】
また、ＧＰＳ機能を利用することにより、端末が位置する場所に相応しい静止画を動画と共に表示させることができる。
【０１１９】
また、静止画作成部に種々な機能を備えることにより、ユーザが望む表示形態を細かく指定することが可能となる。
【０１２０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態に示される全構成要素から幾つかの構成要素を削除してもよい。さらに、異なる実施形態にわたる構成要素を適宜組み合わせてもよい。例えば、各図に示される各種の構成例を部分的に組み合わせて別の構成例を形成することも可能である。
【０１２１】
【発明の効果】
以上詳記したように本発明によれば、動画とこの動画再生部分の周囲の余白部分である静止画とを同時にユーザが望む通りに見栄えよく表示させることができる。
【図面の簡単な説明】
【図１】本発明の一実施形態に係る情報機器において同時に表示される静止画と動画との関係を説明するための図。
【図２】動画データと静止画データとを作成側から再生側へ一緒に受け渡す場合の例を示す図。
【図３】動画データと静止画データとを１つのファイルに収めた場合のファイルフォーマットの一例を示す図。
【図４】図２中の処理部２１４の動作を示すフローチャート。
【図５】動画データと静止画データとを別々に受け渡す場合の例を示す図。
【図６】再生側の位置情報により静止画を決定する場合の例を示す図。
【図７】位置情報と静止画データとの対応関係を定義する情報を示す図。
【図８】作成側から動画データと静止画データとが送られる場合の例を示す図。
【図９】作成側から動画データと位置情報を含む静止画コードとが送られる場合の例を示す図。
【図１０】再生側の位置情報により画像が決まる場合の再生側の動作を示すフローチャート。
【図１１】作成側から静止画データと動画データとを送る場合の作成側の動作を示すフローチャート。
【図１２】作成側から静止画コードと動画データを送る場合の作成側の動作を示すフローチャート。
【図１３】作成側から静止画コードと動画データとを送る場合の再生側の動作を示すフローチャート。
【図１４】作成側−再生側間の各種のデータ送受形態（ＧＰＳを用いない場合）を整理した図。
【図１５】作成側−再生側間の各種のデータ送受形態（ＧＰＳを用いる場合）を整理した図。
【図１６】再生側の端末（携帯電話の場合）の画面において表示されるイメージの例を示す図。
【図１７】図１６の（ｅ）に示される静止画の形成方法の一例を説明するための図。
【図１８】静止画の作成に使用できる装置の例を示す図。
【符号の説明】
１１…端末の表示部、１２…動画再生部分、１３…余白部分、１４…静止画表示部分、２１，３１，４１，５１，６１…作成側機器、２２，３２，４２，５２，６２…再生側機器、２３…Ｗｅｂホームページサーバ、２４…ネットワーク、２５…処理部、２６…動画データ形成装置、２７…静止画データ形成装置、２８…デジタルカメラ、２９…表示部、３０…入力部、３４…第三者の提供するネットに接続されたサーバ、３５…通信キャリアのサーバ、７１…送信部、７２…受信部、９１…表示部。
【図１】
2004007598.tif 000003
【図２】
2004007598.tif 000004
【図３】
2004007598.tif 000005
【図４】
2004007598.tif 000006
【図５】
2004007598.tif 000007
【図６】
2004007598.tif 000008
【図７】
2004007598.tif 000009
【図８】
2004007598.tif 000010
【図９】
2004007598.tif 000011
【図１０】
2004007598.tif 000012
【図１１】
2004007598.tif 000013
【図１２】
2004007598.tif 000014
【図１３】
2004007598.tif 000015
【図１４】
2004007598.tif 000016
【図１５】
2004007598.tif 000017
【図１６】
2004007598.tif 000018
【図１７】
2004007598.tif 000019
【図１８】
2004007598.tif 000020